(57)【特許請求の範囲】
【請求項１】
対向する第１挟持片及び第２挟持片を有し、これら第１挟持片及び第２挟持片の開閉によって、生体に取り付けられる電極の突起状の端子部を挟持して、前記第１挟持片及び第２挟持片の少なくとも一方に設けられた信号導電体に前記端子部を電気的に接続するクリップ部と、
前記クリップ部の上方に、前記信号導電体と離間して設けられ、前記クリップ部を遮蔽する面状の導電部材と、
を有し、
前記導電部材は、前記第１挟持片及び第２挟持片の開閉方向に沿って、且つ、前記信号導電体と前記端子部との接続部分に対向して当該接続部分を覆うように配置される、生体情報取得用クリップ。
【請求項２】
前記導電部材は、前記クリップ部と前記端子部との接続部分を露出可能に設けられている、
請求項１記載の生体情報取得用クリップ。
【請求項３】
前記導電部材は、前記クリップ部の上部に前記クリップ部を覆うように一体的に形成されている、
請求項１記載の生体情報取得用クリップ。
【請求項４】
前記クリップ部は、前記第１挟持片及び第２挟持片を繋ぎ、且つ、それぞれ開閉させる支点となる繋ぎ部を有し、
前記第１挟持片及び第２挟持片には、前記繋ぎ部を介して、互いに接離方向に移動させる摘み部がそれぞれ連続して延設され、
一方の摘み部の端部には、前記信号導電体に接続されたリード線が導出され、
他方の摘み部の端部には、前記導電部材に接続されたリード線が導出されている、
請求項１記載の生体情報取得用クリップ。
【発明の詳細な説明】
【技術分野】
【０００１】
本発明は、被検者の胸部等に取り付けられた接触電極に突起状に形成された電極端子部を左右の挟持片で把持して、接触電極から得られる生体情報を心電計や生体情報モニタ等の生体情報取得装置に誘導する生体情報取得用クリップに関する。
【背景技術】
【０００２】
一般に、不整脈や虚血性心疾患などの心電図異常を調べるために、心電図検査が行われている。心電図検査では、被検者の両手首、両足首および胸部に電極を取付け、これらの電極で心臓の活動により発生する微小な起電力を検出し、検出した起電力の電位差を利用して心電図波形を取得する。
【０００３】
胸部から微小の起電力を検出する場合、例えば、特許文献１に示すように、胸部に、面状の接触電極を取り付ける。そして、この面状の接触電極において外面から突出する電極端子部に、心電計から導出されるケーブルの先端に設けられた電極用クリップまたは電極用ホックを接続することによって、接触電極で検出した起電力の情報は心電計に入力される。
【０００４】
電極用クリップは、先端部の半円筒状部が、それぞれ左右に開閉自在となるように結合され、かつ、バネにより閉方向に付勢された一対のクリップ部材を備える。半円筒状部には、下部側に、くの字に切り欠かれた金属板からなるコンタクトが設けられている。一対のクリップ部材では、それぞれの後端側に設けた摘み部を近接させることで、先端部の半円筒状部は開き、これら半円筒状部のコンタクトで電極端子部を挟むことで、接触電極に接続される。つまり、小さい力でコンタクトを開くことができるとともに、閉じる際には、バネによる力で電極端子部を強固に挟持できる。これにより、接触電極とクリップの着脱を容易にする。
【先行技術文献】
【特許文献】
【０００５】
【特許文献１】特開２００３−１０１３８号公報
【発明の概要】
【発明が解決しようとする課題】
【０００６】
ところで、胸部に取り付けられる接触電極は、生体と導電的に接触しているため、何らかの原因で周囲の電気器具などと接触した場合に、これらとの間で電気的な導通路が形成されてしまうようなことを極力避けることが望ましい。導通路が形成されてもほとんどの場合、危険な電流が流れることは先ずないが、万が一、アース端子や電気コンセントの端子などと接触した場合には不要な電流が流れることもありうる。
【０００７】
これに対し、従来の電極用クリップにおいては、電極端子部を挟持するコンタクトは、上方で露出しているため、この露出したコンタクトの一部またはコンタクトに挟まれた電極端子部の先端部が周囲の電気器具の一部、特に、アース端子や電気コンセントに接触する可能性も万が一にも考えられ、厳密な意味での安全性に問題があった。
【０００８】
また、コンタクト及び電極端子部が露出しているため、心電図検査を行う部屋の蛍光灯、衣服のこすれ等による静電気、水滴の付着、或いは埃などの付着によるノイズを受けやすく、検出した信号に不要な信号が加わって、正確な心電図信号を取得できないという問題がある。
【０００９】
本発明はかかる点に鑑みてなされたものであり、生体に取り付けられる接触電極への着脱が容易であるとともに、電気的な安全性を確保して、心電図などの生体情報をノイズの影響を受けにくく正確に検出できる生体情報取得用クリップを提供することを目的とする。
【課題を解決するための手段】
【００１０】
本発明の生体情報取得用クリップの一つの態様は、対向する第１挟持片及び第２挟持片を有し、これら第１挟持片及び第２挟持片の開閉によって、生体に取り付けられる電極の突起状の端子部を挟持して、前記第１挟持片及び第２挟持片の少なくとも一方に設けられた信号導電体に前記端子部を電気的に接続するクリップ部と、前記クリップ部の上方に、前記信号導電体と離間して設けられ、前記クリップ部を遮蔽する面状の導電部材と、を有し、前記導電部材は、前記第１挟持片及び第２挟持片の開閉方向に沿って、且つ、前記信号導電体と前記端子部との接続部分に対向して当該接続部分を覆うように配置される構成を採る。
【発明の効果】
【００１１】
本発明によれば、生体に取り付けられる接触電極への着脱が容易であるとともに、電気的な安全性を確保して、心電図などの生体情報をノイズの影響を受けにくく正確に検出できる。
【図面の簡単な説明】
【００１２】
【図１】本発明の一実施の形態に係る生体情報取得用クリップと接触電極を示す図
【図２】本発明の一実施の形態に係る生体情報取得用クリップの平面図
【図３】本発明の一実施の形態に係る生体情報取得用クリップの底面図
【図４】本発明の一実施の形態に係る生体情報取得用クリップの左側面図
【図５】本発明の一実施の形態に係る生体情報取得用クリップの要部構成を示す図２のＡ−Ａ線矢視断面図
【図６】本発明の一実施の形態に係る生体情報取得用クリップの要部構成を示す図２のＢ−Ｂ線矢視断面図
【図７】本発明の一実施の形態に係る生体情報取得用クリップのクリップ部を開いた状態を示す平面図
【図８】本発明の一実施の形態に係る生体情報取得用クリップが固定されるケーブルの断面図
【図９】本発明の一実施の形態に係る生体情報取得用クリップの変形例を示す図
【発明を実施するための形態】
【００１３】
以下、本発明の実施の形態について、図面を参照して詳細に説明する。
【００１４】
図１は、本発明の一実施の形態に係る生体情報取得用クリップ１００と、生体情報取得用クリップ１００が接続される接触電極４０を示す図である。
【００１５】
図１に示す生体情報取得用クリップ１００は、例えば、心電計などの生体情報取得装置に接続されたケーブル３０の先端部３１に固定されており、接触電極４０に着脱自在に接続される。
【００１６】
通常、接触電極４０は、生体（ここでは被検者の胸部の皮膚）に直接取り付けて使用される。このため、本実施の形態で使用される接触電極４０として、使い捨て電極が用いられている。これにより、接触電極４０自体を再使用することがなく、他被検者への感染を防いだり、被検者に衛生面での安心感を与え、不安感を払拭したりしている。
【００１７】
接触電極４０は、薄いシート状のベースパット４２における一方の面にやわらかな導電パット４４を設け、また他方の面に、突起状の端子部４６を設けた構造とする。更に生体への導電的な接触を簡単に行えるように、ベースパット４２の一方の面（裏面）４２ａは粘着性を有している。
【００１８】
使用前にはベースパット４２の粘着面である裏面４２ａに、取り外し自在なテープが貼着されている。端子部４６は、導電パット４４から突出して設けられ、ベースパット４２の他方の面（表面）４２ｂを挿通して外部に露出している。この端子部４６は、生体情報取得用クリップ１００等の接続具により挟持される頸部４６ａと、頸部４６ａの先端に形成され、頸部４６ａの外径よりも大きい外径の頭部４６ｂと、を備える。
【００１９】
このように構成された接触電極４０を使用するときには、ベースパット４２の裏面４２ａのテープをはがして、ベースパット４２の粘着面（裏面４２ａ）を皮膚に当接して接着させる。この接着により、導電パット４４も皮膚面に当接し、測定部位からの電気パルスを導電パット４４で検出する。電気パルスは、導電パット４４、端子部４６、生体情報取得用クリップ１００、ケーブル３０を介して心電計等の生体情報取得装置へ送られ、表示等がなされる。波形解析等も行われる。
【００２０】
生体情報取得用クリップ１００は、端子部４６を挟持するクリップ部１１０と、クリップ部１１０を上方から被覆して、心電図検査を行う部屋の蛍光灯、衣服のこすれ等による静電気等の外部からの電気的なノイズを遮蔽する導電部材１８０とを有する。
【００２１】
図２〜図７は、本実施の形態に係る生体情報取得用クリップ１００の構成を示す図である。
【００２２】
図２〜図７に示すように、生体情報取得用クリップ１００は、ケーブル３０の先端部３１に固定されている。
【００２３】
生体情報取得用クリップ１００は、繋ぎ部１０１で互いに結合された第１挟持部材１２０及び第２挟持部材１３０を備える。これら第１挟持部材１２０及び第２挟持部材１３０は、繋ぎ部１０１より前方に突出し、互いに対向する第１挟持片１２２及び第２挟持片１３２と、繋ぎ部１０１よりも後方に突出し、外側面に窪みが形成された摘み部１２４、１３４とを備える。加えて、摘み部１２４、１３４間には、第１挟持片１２２及び第２挟持片１３２がそれぞれ互いに接触する方向、つまり、閉じる方向に付勢する付勢部材（圧縮コイルバネ）１４０が介設されている。
【００２４】
第１挟持部材１２０及び第２挟持部材１３０は繋ぎ部１０１とともにここでは絶縁性を有する材料、例えば、プラスチックなどの合成樹脂或いは絶縁性を備える硬質樹脂により形成されている。第１挟持部材１２０及び第２挟持部材１３０は、通常時では、摘み部１２４、１３４は左右方向に離間して配置されており、第１挟持片１２２及び第２挟持片１３２は、互い当接した状態となっている。そして、第１挟持部材１２０及び第２挟持部材１３０では、付勢部材１４０の付勢力に抗して、互いの摘み部１２４、１３４を接近させる方向、つまり、実線Ｃで示す矢印方向（図３参照）に移動させることで、これらに直結した第１挟持片１２２及び第２挟持片１３２が左右に開く（矢印Ｄ方向に開く）。
【００２５】
第１挟持片１２２及び第２挟持片１３２は、図１に示す接触電極４０の突起状の端子部４６を挟持するものである。これら第１挟持片１２２及び第２挟持片１３２の少なくとも一方は、第１挟持片１２２及び第２挟持片１３２が端子部４６を挟持した際に、この端子部４６に接触し、端子部４６からの信号を誘導する信号導電体（ここでは板状の信号導電板）１５０を備える。
【００２６】
ここでは、信号導電体１５０は、それぞれ平面視して中央をＶ字状に切り欠かれた金属製の板状コンタクト１５２、１５４からなる（図３及び図４参照）。信号導電体１５０（板状コンタクト１５２、１５４）は、図２、図３及び図６に示すように、Ｖ字状の切欠部１５２ａ、１５４ａを水平方向で対向するようにして、半円弧状に形成された第１挟持片１２２と第２挟持片１３２のそれぞれの下部に取り付けられている。
【００２７】
この構成により、第１挟持片１２２及び第２挟持片１３２が端子部４６を挟持する際には、それぞれの板状コンタクト１５２、１５４におけるＶ字状の切欠部１５２ａ、１５４ａ同士で端子部４６の頸部４６ａを挟み、当該頸部４６ａに接触する（図６参照）。
【００２８】
図２、図６に示すように、板状コンタクト１５２、１５４の少なくとも一方（ここでは板状コンタクト１５２）は、ケーブル３０の芯線である信号線３２に接続されている。
【００２９】
第１挟持片１２２、第２挟持片１３２及び信号導電体１５０（板状コンタクト１５２、１５４）によりクリップ部１１０（図１参照）を構成する。そして、このクリップ部１１０の上方に、導電部材１８０が、板状コンタクト（信号導電体１５０）１５２、１５４と離間して設けられている。
【００３０】
導電部材１８０は、クリップ部１１０を上方で覆うものであり、ここでは、伸縮自在な導電性を有するシート材（導電シート）或いは導電フィルムにより形成されている。導電部材１８０は、ゴムなど伸縮性を有し、且つ導電性を有する材料により構成され、ここでは、図２に示すように、平面視、半楕円状をなしている。なお、導電部材１８０は、クリップ部１１０を覆う形状であれば、どのような形状でもよく、平面視、扇状としてもよい。
【００３１】
また、導電部材１８０は、インサート成形或いは二重成型によって、クリップ部１１０の上部で、且つ、クリップ部１１０の一部としての第１挟持部材１２０及び第２挟持部材１３０に埋め込まれており、第１挟持部材１２０及び第２挟持部材１３０に一体的に形成されている。
【００３２】
このように伸縮自在の導電シートからなる導電部材１８０は伸縮するため、図７に示すように、第１挟持片１２２及び第２挟持片１３２が、互いに離間した場合、つまり、両者が開いた場合でも、この状態の形状に対応して伸縮する。よって、導電部材１８０自体は、第１挟持片１２２及び第２挟持片１３２の開閉の妨げになることなく、クリップ部１１０内における板状コンタクト１５２、１５４並びに端子部４６と、外部（生体と反対側の外部）とを電気的に遮蔽できる。
【００３３】
また、導電部材１８０は、インサート成形或いは二重成形によって生体情報取得用クリップ１００に設けられている。ここでは、導電部材１８０は、クリップ部１１０に一体的に形成されている。導電部材１８０の上面は、第１挟持片１２２及び第２挟持片１３２を形成する材料よりも弾性変形して伸縮しやすい材料によって被覆されており、生体情報取得用クリップ１００が端子部４６に取り付けられた状態では、導電部材１８０は外部に露出しない。この導電部材１８０は、ケーブル３０のシールド線３６に接続されている。
【００３４】
ここで、ケーブル３０の構成を示す。
【００３５】
図８にケーブル３０の断面図を示す。生体情報取得用クリップ１００が固定されるケーブル３０は、図８に示すように、ここでは、中央に信号線３２が配設され、この信号線３２を絶縁被覆材３４で被覆し、この絶縁被覆材３４の外周に、導電性を有するシールド線３６が配設されている。更にシールド線３６は、ケーブル３０の外皮となる外部絶縁被覆材３８により被覆されている。
【００３６】
このケーブル３０の信号線３２は、図２に示すように、生体情報取得用クリップ１００内に、第１挟持部材１２０の後端部、つまり、摘み部１２４の後端面から摘み部１２４内に配設されている。このように摘み部１２４内に配置されている信号線３２は、第１挟持部材１２０（摘み部１２４）の内部を挿通して、第１挟持部材１２０の先端部（第１挟持片１２２）の板状コンタクト１５２に接合されている（図６参照）。
【００３７】
一方、シールド線３６は、図２及び図５に示すように、生体情報取得用クリップ１００内に、第２挟持部材１３０の後端部、つまり、摘み部１３４の後端面から摘み部１３４内に配設されている。このように摘み部１３４内に配設されているシールド線３６は、第２挟持片１３２側から、導電部材１８０に接合されている。
【００３８】
このように信号線３２は、第１挟持部材１２０側で生体情報取得用クリップ１００内から導出され、シールド線３６は、第２挟持部材１３０側で生体情報取得用クリップ１００内から導出されている。このため、ケーブル３０の信号線３２及びシールド線３６は、全く別の経路で、板状コンタクト１５２、１５４及び導電部材１８０に接続されており、信号線３２が、シールド線３６に接続されることがない。
【００３９】
本実施の形態の生体情報取得用クリップ１００を用いる際には、先ず、接触電極４０を（生体、ここでは被検者の皮膚）に当接させる。
【００４０】
一方生体情報取得用クリップ１００では、付勢部材１４０の付勢力に抗して互いを接近させる方向（図３に示す矢印Ｃ方向）に移動させて保持する。これにより、第１挟持片１２２及び第２挟持片１３２は、繋ぎ部１０１を中心に互いに離間する方向（図３に示す矢印Ｄ方向）に回動して、クリップ部１１０は開状態となる。そして、第１挟持片１２２及び第２挟持片１３２の間に接触電極４０の端子部４６を位置させて、摘み部１２４、１３４の保持を解除する。すると、付勢部材１４０の付勢力により、摘み部１２４、１３４は常態に戻る方向（矢印Ｆ方向）に移動して、これに伴い、第１挟持片１２２及び第２挟持片１３２は互いに接近する方向（図３に示す矢印Ｅ方向）に移動する。
【００４１】
これにより、端子部４６は、それぞれの板状コンタクト１５２、１５４を介して、第１挟持片１２２及び第２挟持片１３２によって挟持された状態となり、端子部４６と板状コンタクト１５２、１５４とが電気的に接続する。このとき、板状コンタクト１５２、１５４は、Ｖ字状の切欠部１５２ａ、１５４ａ間で端子部４６の頸部４６ａを挟み込んだ状態となり、板状コンタクト１５２、１５４に頭部４６ｂが掛止された状態となる。これにより、板状コンタクト１５２、１５４から端子部４６が抜けない状態で、互いに電気的に接続される。
【００４２】
また、クリップ部１１０内で、板状コンタクト１５２、１５４と端子部４６とが接続され、この接続部分は、クリップ部１１０の上部で、クリップ部１１０を覆う導電部材１８０によって被覆されている。
【００４３】
これにより、接触電極４０（図１参照）の端子部４６からの電気パルスは、導電部材１８０により遮蔽された板状コンタクト１５２、１５４を介して信号線３２に出力される。この信号線３２は、ケーブル３０の先端部３１における分岐ケーブル３１ａ（図２参照）では外部絶縁被覆材３９ａにより被覆され、ケーブル３０内では絶縁被覆材３４（図８参照）により被覆されている。この信号線３２を介して端子部４６からの電気パルスは、生体情報取得装置などに誘導される。なお、ケーブル３０の先端部３１において、分岐ケーブル３１ａ（図２参照）とともに分岐する分岐ケーブル３１ｂ（図２参照）は、外部絶縁被覆材３９ｂでシールド線３６を被覆して構成される。
【００４４】
このように生体情報取得用クリップ１００では、接触電極４０（詳細には、接触電極４０の端子部４６）と接続するクリップ部１１０の板状コンタクト１５２、１２４が、導電部材１８０により被覆される。これにより、板状コンタクト１５２、１２４と接触電極４０との接続部分は外部に露出することがないため、周囲の電気器具などに接触しない。
【００４５】
また、この接続部分が、導電部材１８０により覆われるため、周囲の電気器具の静電気による接続部分へのノイズを遮蔽できる。よって、生体情報取得用クリップ１００を用いて心電図検査を行う場合、心電図検査を行う部屋の蛍光灯や商用電源に起因するノイズ、衣服のこすれ等による静電気、水滴の付着、或いは埃などの付着によるノイズを受けることもなく、検出した信号を、正確にケーブルに出力して、正確な心電図信号を取得させることができる。
【００４６】
また、生体情報取得用クリップ１００は、左右に開閉する第１挟持片１２２と第２挟持片１３２に信号導電体１５０である板状コンタクト１５２、１５４を備えるクリップ部１１０の上部にシート状の導電部材１８０を配置し、この導電部材１８０によって、クリップ部１１０を覆う構成である。このため、生体情報取得用クリップ１００は、接触電極４０に対する上下方向の厚みを極力薄くして外部ノイズを受けにくい構成を実現できる。
【００４７】
さらに、生体情報取得用クリップ１００は、クリップ部１１０において第１挟持片１２２及び第２挟持片１３２で接触電極４０の端子部４６を挟むことで前記接触電極４０に接続する構成であるため、その着脱が容易に行うことができる。これにより、接触電極４０の端子部４６に圧入によって接続する従来の圧入式の電極接続部（例えば、特開２００３−１０１３８号公報に示すホック式電極等）と異なり、接触電極４０に対して着脱する際に患者に不快感を与えることがない。従来の圧入式の電極接続部では、接触電極に圧入にして取り付ける際に、接触電極４０を介して患者の皮膚を押し付けたり、圧入方向とは逆方向に電極接続部を移動して接触電極から取り外すため、接触電極４０を介して皮膚を引っ張ったりすることがある。
【００４８】
なお、本実施の形態では、クリップ部１１０の上部に、伸縮自在の導電シートによりなる導電部材１８０をクリップ部１１０と一体的に設けた構成としたが、これに限らない。つまり、クリップ部１１０において、挟持により接触電極４０と板状コンタクト１５２、１５４との接続部分の上方に、クリップ部１１０を覆うように外部からのノイズを遮蔽する導電部材１８０を設けていれば、どのように構成されてもよい。また、導電部材１８０は、クリップ部１１０と端子部４６との接続部分を露出可能にクリップ部１１０に対して設けられても良い。例えば、導電部材１８０は、クリップ部１１０の上方で、接続部分を上方で覆う位置から水平方向に回転自在に配設されたり、同位置からスライド移動自在に配設されたり、クリップ部１１０に対して上下方向に開閉する蓋状に取り付けたりした構成にしてもよい。
【００４９】
ここで、生体情報取得用クリップの変形例を図９に示す。なお、この生体情報取得用クリップは、図１に示す生体情報取得用クリップと比較して、導電部材の取付状態のみ異なり、その他の構成の基本的構成は同様のものである。よって、同一の構成要素には同一の符号を付し、その説明を省略する。
【００５０】
図９に示す生体情報取得用クリップ１００Ａは、繋ぎ部１０１Ａを支点に、先端部に形成された第１挟持片１２２Ａ及び第２挟持片１３２Ａが開閉自在な第１挟持部材１２０Ａ及び第２挟持部材１３０Ａを備える。
【００５１】
これら第１挟持部材１２０Ａ及び第２挟持部材１３０Ａは、生体情報取得用クリップ１００の第１挟持部材１２０及び第２挟持部材１３０と同様の基本的構成を有する。つまり、第１挟持部材１２０Ａ及び第２挟持部材１３０Ａは、絶縁材料、ここではプラスチックにより成形され、それぞれの後端部には、摘み部１２４、１３４が形成されている。第１挟持部材１２０Ａ及び第２挟持部材１３０Ａでは、摘み部１２４、１３４を接近させることで先端部の第１挟持片１２２Ａ及び第２挟持片１３２Ａは互いに離間する方向に回動する。すなわち、クリップ部１１０Ａは開く状態となる。また、このクリップ部１１０Ａは、生体情報取得用クリップ１００のクリップ部１１０と同様に、図示しないが板状コンタクトを有する。このクリップ部１１０Ａの上方に、板状コンタクトと接触電極４０の端子部４６との接続部分を覆う導電部材１８０が配設されている。
【００５２】
この変形例としての生体情報取得用クリップ１００Ａでは、導電部材１８０は、第１挟持片１２２Ａの上面部から、第２挟持片１３２Ａを繋ぐ繋ぎ部１０１Ａと第２挟持片１３２Ａとの上に張り出すように、第１挟持片１２２Ａと一体成形されている。この導電部材１８０の上面は、第１挟持部材１２０Ａと同様の絶縁材料によって覆われている。
【００５３】
この構成によれば、第２挟持片１３２Ａが第１挟持片１２２Ａに対して離間方向に移動する際に、第２挟持片１３２Ａの移動は、導電部材１８０下で移動することになり、クリップ部１１０Ａの開閉状態に関わらず、クリップ部１１０Ａ上に配置された状態となっている。
【００５４】
これにより、生体情報取得用クリップ１００Ａは生体情報取得用クリップ１００と同様の作用効果を得ることができる。なお、変形例では、接触電極４０の端子部４６を挟持するクリップ部１１０Ａの上方に配置される導電部材１８０を、クリップ部１１０Ａの第１挟持片１２２Ａと一体に設けた構成としたが、これに限らない。生体情報取得用クリップ１００Ａの構成において、第２挟持片１３２Ａの上部に、第２挟持片１３２Ａ側から第１挟持片１２２Ａの上方に延出するように、一体的に構成してもよい。
【００５５】
また、生体情報取得用クリップ１００Ａの構成において、クリップ部１１０Ａにおいて、第１挟持片１２２及び第２挟持片１３２の開閉の支点となる繋ぎ部１０１Ａを第１挟持片１２２及び第２挟持片１３２と独立した軸部とし、この軸部に導電部材１８０を固定した構成としてもよい。この構成の場合、導電部材１８０は、第１挟持片１２２Ａ及び第２挟持片１３２Ａを有するクリップ部１１０Ａ上にこれらを覆うように張り出すように軸部に固定する。これにより、クリップ部１１０Ａは、導電部材の下方で、導電部材に覆われた状態で、開閉自在となる。
【００５６】
また、クリップ部１１０において、第１挟持片１２２及び第２挟持片１３２の開閉の支点となる繋ぎ部を第１挟持片１２２及び第２挟持片１３２と独立した軸部とし、この軸部に、導電部材１８０を回転可能に取り付けた構成としてもよい。このように構成された生体情報取得用クリップ１００では、接触電極４０への装着時に、導電部材１８０を回転させて板状コンタクトによる端子部４６との接続部分を上方で覆う位置から退避させることができる。つまり、生体情報取得用クリップ１００では、導電部材１８０は、クリップ部１１０と端子部４６との接続部分を露出可能となっている。これにより、板状コンタクトを上方に露出させて、目視で、板状コンタクトと接触電極４０の端子部４６との位置関係を確認しながら接続作業を行なうことができる。そして、板状コンタクトと接触電極４０の端子部４６との接続後、導電部材１８０を回転させて板状コンタクトによる端子部４６との接続部分の上方に位置させることにより、これら接続部分を覆って外部と電気的に遮断する。ここでは、導電部材は、回動することによって、クリップ部１１０と端子部４６との接続部分を遮断する位置を露出可能な構成としているが、これに限らない。板状コンタクトによる端子部４６との接続部分、言い換えれば、クリップ部１１０と端子部４６との接続部分を覆う導電部材１８０は、クリップ部１１０の上方でクリップ部１１０を覆う位置に開閉自在に取り付けられたり、折り畳み自在に取り付けられたりした構成としても良い。これにより、導電部材を、開閉したり、折り畳んだりすることによって、板状コンタクト（クリップ部）と端子部とを上方に露出させて、両者の接続を、視認しながら行うことができる。そして、これらの接続後、導電部材を、両者（板状コンタクト（クリップ部）と端子部）の接続部分を上方で覆う位置に位置させることによって、両者の接続部分と、生体の外部とを電気的に遮蔽できる。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５８】
本発明に係る生体情報取得用クリップは、生体に取り付けられる接触電極への着脱が容易であるとともに、電気的な安全性を確保して、心電図などの生体情報を正確に検出できる効果を有し、接触電極と生体情報取得装置とを接続して心電図波形を取得する場合に有用である。
【符号の説明】
【００５９】
３０  ケーブル
３１  先端部
３１ａ、３１ｂ  分岐ケーブル
３２  信号線
３４  絶縁被覆材
３６  シールド線
３８  外部絶縁被覆材
４０  接触電極
４２  ベースパット
４２ａ  ベースパットの裏面
４４  電極パット
４６  端子部
４６ａ  頸部
４６ｂ  頭部
１００、１００Ａ  生体情報取得用クリップ
１０１、１０１Ａ  繋ぎ部
１１０、１１０Ａ  クリップ部
１２０、１２０Ａ  第１挟持部材
１２２、１２２Ａ  第１挟持片
１２４、１３４  摘み部
１３０、１３０Ａ  第２挟持部材
１３２、１３２Ａ  第２挟持片
１４０  付勢部材
１５０  信号導電体
１５２、１５４  板状コンタクト
１８０  導電部材
【図１】
0005877012.tif 000002
【図２】
0005877012.tif 000003
【図３】
0005877012.tif 000004
【図４】
0005877012.tif 000005
【図５】
0005877012.tif 000006
【図６】
0005877012.tif 000007
【図７】
0005877012.tif 000008
【図８】
0005877012.tif 000009
【図９】
0005877012.tif 000010